(57)【要約】      （修正有）【課題】携帯性を損ねることなく、表示部の耐衝撃性を向上させた携帯型電子機器を提供する。【解決手段】開口部３を有するケース２と、ケース２内に前記開口部３を通して外部から閲覧可能に配された表示部４と、開口部３を覆って保護する蓋部６とを有する携帯型電子機器１であって、蓋部６は、開口部３を覆うように配したときに開口部３に対応する部分に、開口部３の内部に向かって略凸形状に突出する突出部７を有する。【選択図】図２
2006253256.tif 000002
【特許請求の範囲】
【請求項１】
開口部を有するケースと、前記ケース内に前記開口部を通して外部から閲覧可能に配された表示部と、前記開口部を覆って保護する蓋部とを有する携帯型電子機器であって、
前記蓋部は、前記開口部を覆うように配したときに前記開口部に対応する部分に、前記開口部の内部に向かって略凸形状に突出する突出部を有することを特徴とする携帯型電子機器。
【請求項２】
前記蓋部は、前記開口部を覆うように配したときの外側表面が、略平面状に形成されていることを特徴とする、請求項１に記載の携帯型電子機器。
【請求項３】
前記蓋部の前記突出部の側面は、前記蓋部を前記開口部を覆うように配したときに、前記開口部の内側側面に近接することを特徴とする、請求項１に記載の携帯型電子機器。
【請求項４】
前記蓋部と前記表示部との離間距離は、前記蓋部に垂直に所定の外圧を加えたときに前記蓋部が歪む歪み量よりも大きな値に設定することを特徴とする、請求項１から３のいずれかに記載の携帯型電子機器。
【請求項５】
開口部を有するケースと、前記ケース内に前記開口部を通して外部から閲覧可能に配された表示部と、前記開口部を覆って保護する蓋部とを有する携帯型電子機器であって、
前記蓋部は、前記開口部を覆うように配したときに前記開口部の縁部に対応する部分に、前記開口部の内部に向かって突出するリブを有することを特徴とする携帯型電子機器。
【請求項６】
前記蓋部は、前記開口部を覆うように配したときに前記開口部の縁部に対応する部分の全周に渡って前記リブを有することを特徴とする、請求項５に記載の携帯型電子機器。
【請求項７】
前記蓋部の前記リブは、前記蓋部が、前記蓋部に垂直に所定の外圧が加えられて歪んだとき、前記開口部の縁部近傍に位置する前記表示部に接触することを特徴とする、請求項５もしくは６のいずれかに記載の携帯型電子機器。
【請求項８】
前記蓋部の前記リブの外側側面は、前記蓋部を、前記開口部を覆うように配したときに、前記開口部の内部側面に近接することを特徴とする、請求項５から７のいずれかに記載の携帯型電子機器。
【請求項９】
前記表示部は、該表示部の表面上に入力手段を有する、請求項１から８のいずれかに記載の携帯型電子機器。
【請求項１０】
前記蓋部は、透明性を有する弾性部材で形成される、請求項１から９のいずれかに記載の携帯型電子機器。
【請求項１１】
開口部を有する本体と、前記本体内に前記開口部を通して外部から閲覧可能に配された表示部と、前記開口部を覆って保護する蓋部とを有する電子機器であって、
前記蓋部は、前記開口部を覆うように配したときに前記開口部に対応する部分に、前記開口部の内部に向かって略凸形状に突出する突出部を有することを特徴とする電子機器。
【請求項１２】
開口部を有する本体と、前記本体内に前記開口部を通して外部から閲覧可能に配された表示部と、前記開口部を覆って保護する蓋部とを有する電子機器であって、
前記蓋部は、前記開口部を覆うように配したときに前記開口部の縁部に対応する部分に、前記開口部の内部に向かって突出するリブを有することを特徴とする電子機器。
【発明の詳細な説明】
【技術分野】
【０００１】
本発明は、表示部を備えると共に、該表示部を保護する蓋部を有する携帯型電子機器に関する。
【背景技術】
【０００２】
携帯電子辞書および携帯電子手帳等の携帯型電子機器には、ＬＣＤ（Ｌｉｑｕｉｄ  Ｃｒｙｓｔａｌ  Ｄｉｓｐｌａｙ）等の表示部が搭載されている。携帯型電子機器は、更なる携帯性の向上を目的に小型化や軽量化が図られる一方で、表示部の大型化へのニーズが非常に高い。そのため従来から、携帯型電子機器の表示部を保護することを目的に、携帯型電子機器未使用時には表示部を覆い、使用時には表示部から取除くことが可能な保護カバーを具備する携帯型電子機器がある（例えば特許文献１）。
【０００３】
このような携帯型電子機器の保護カバーは通常、ほぼ均一な厚みを有する薄い板状部材からなり、ヒンジ等の接続部を介して携帯型電子機器に対して開閉可能に取付けられている。
【０００４】
また携帯型電子機器の小型化に伴って、表示部にタッチパネル等の入力手段を配した機器も非常に多い。
【特許文献１】特開平０９−２８３９４５公報
【発明の開示】
【発明が解決しようとする課題】
【０００５】
特許文献１に開示された携帯型電子機器は、保護カバーを閉じることで表示部表面への不要な接触を防止することが可能であるが、携帯型電子機器自身の落下や物体の表示部表面への衝突といった衝撃に対して表示部を保護しうる構成とはなっていない。即ち、携帯性の追及から板厚が薄いため、表示部表面への激しい衝撃には弱い構成となっている。
【０００６】
また仮に表示部の破損を免れても、衝撃による保護カバーの撓み等が原因して、表示部に配された入力手段が誤動作しやすい構成となっている。
【０００７】
耐衝撃性を向上させるために保護カバーを厚くすることも可能であるが、これは携帯型電子機器自身の厚みの増加に繋がり、携帯性を損ねるため好ましくない。
【０００８】
保護カバーに強度の高い材質を使用することも可能であるが、通常このような材質は非常に高価であり、且つ、保護カバーの形状に成形することに困難性を有する。そのため、安価に提供することが求められる携帯型電子機器への使用は不向きである。
【０００９】
また、特許文献１に開示された携帯型電子機器は、保護カバーを閉じているときに保護カバーに水平な方向から衝撃が加えられると、保護カバーがその方向にずれる。このため、保護カバーが開いて表示部が露出される、ずれによる負荷が保護カバーと携帯型電子機器とを接続する接続部にかかり接続部が破損する、等の障害が起こりやすい構成となっている。
【００１０】
本発明は、上述のような問題を鑑みてなされたものであり、携帯性を損ねることなく、表示部表面の様々な方向に対する耐衝撃性を向上させた携帯型電子機器を提供する。
【００１１】
また、表示部表面に様々な方向から衝撃が加えられても、表示部に配された入力手段が誤動作しない携帯型電子機器を提供する。
【課題を解決するための手段】
【００１２】
本発明は、上記課題を解決するため、開口部を有するケースと、ケース内に開口部を通して外部から閲覧可能に配された表示部と、開口部を覆って保護する蓋部とを有する携帯型電子機器であって、蓋部は、開口部を覆うように配したときに開口部に対応する部分に、開口部の内部に向かって略凸形状に突出する突出部を有することを特徴とする携帯型電子機器を提案するものとする。
【００１３】
これにより、携帯型電子機器の表示部に対応する部分の蓋部の肉厚が厚くなることから、耐衝撃性が向上する。
【００１４】
また本発明の蓋部は、開口部を覆うように配したときの外側表面が、略平面状に形成されていることを特徴とする。
【００１５】
これにより、蓋部の突出部により表示部の耐衝撃性を向上させつつ、携帯型電子機器としての厚みは従来通りに保つことができる。
【００１６】
また本発明の蓋部の突出部の側面は、蓋部を、開口部を覆うように配したときに、開口部の内側側面に近接することを特徴する。
【００１７】
これにより、携帯型電子機器の蓋部表面に対して水平な方向から衝撃が加えられても、蓋部の突出部側面と開口部側面との近接関係により蓋部が位置決めされて固定されるため、蓋部がずれることを防止できる。
【００１８】
また本発明の蓋部と表示部との離間距離は、蓋部に垂直に所定の外圧を加えたときに蓋部が歪む歪み量よりも大きな値に設定することを特徴とする。
【００１９】
これにより、蓋部に垂直に外圧が加わっても、蓋部が表示部に接触することを防止することができる。
【００２０】
また本発明は、上述の他に、開口部を有するケースと、ケース内に開口部を通して外部から閲覧可能に配された表示部と、開口部を覆って保護する蓋部とを有する携帯型電子機器であって、蓋部は、開口部を覆うように配したときに開口部の縁部に対応する部分に、開口部の内部に向かって突出するリブを有することを特徴とする携帯型電子機器を提供するものとする。
【００２１】
またこの際、蓋部は、開口部を覆うように配したときに開口部の縁部に対応する部分の全周に渡ってリブを有することを特徴とする。
【００２２】
更に蓋部のリブは、蓋部が、蓋部に垂直に所定の外圧が加えられて歪んだとき、開口部の縁部近傍に位置する表示部に接触することを特徴とする。
【００２３】
これにより、蓋部に垂直な方向から外圧が加えられても、蓋部が表示部に接触しにくい構造であり、且つリブにより外圧が分散されるため、蓋部の厚みを増すことなく表示部の耐衝撃性を向上させることができる。
【００２４】
また本発明の蓋部のリブの外側側面は、蓋部を、開口部を覆うように配したときに、開口部の内部側面に近接することを特徴とする。
【００２５】
これにより、携帯型電子機器の蓋部表面に対して水平な方向から衝撃が加えられても、蓋部のリブの外側側面と開口部側面との近接関係により蓋部が位置決めされて固定されるため、蓋部がずれることをを防止することができる。
【００２６】
また、上述したこれらの本発明の携帯型電子機器で用いられる表示部は、その表面上に入力手段を有してもよく、また蓋部は、透明を有する弾性部材で形成してもよい。
【００２７】
更に本発明は、携帯型電子機器に限るものではなく、開口部を有する本体と、本体内に開口部を通して外部から閲覧可能に配された表示部と、開口部を覆って保護する蓋部とを有する電子機器であって、蓋部は、開口部を覆うように配したときに開口部に対応する部分に、開口部の内部に向かって略凸形状に突出する突出部を有することを特徴とする電子機器を提供するものとする。
【００２８】
また、開口部を有する本体と、本体内に開口部を通して外部から閲覧可能に配された表示部と、開口部を覆って保護する蓋部とを有する電子機器であって、蓋部は、開口部を覆うように配したときに開口部の縁部に対応する部分に、開口部の内部に向かって突出するリブを有することを特徴とする電子機器を提供するものとする。
【発明の効果】
【００２９】
本発明によれば、蓋部のケースの開口部に対応する部分の、外圧等の衝撃に対する強度が増加するため、結果として蓋部により保護される表示部の耐衝撃性が向上する。
【００３０】
また蓋部は、ケースの開口部に対応する部分の、開口部内部に向かう方向にのみ突出部やリブを配しているため、携帯型電子機器としての厚みは従来通りに保つことができる。
【００３１】
更に蓋部の突出部やリブは、蓋部をケースの開口部を覆うように配したときに、その外側側面が、開口部の内側側面と近接するように配されているため、蓋部に水平な方向から衝撃が加えられても、蓋部は位置決めされて固定された状態であり、蓋部がずれることはない。
【００３２】
また蓋部と表示部のとの離間距離や、リブと表示部との接触関係から、蓋部に垂直に衝撃が加えられて蓋部が歪んでも、蓋部が表示部に接触しない。このため、入力手段を有する表示部であっても、入力手段に蓋部が接触することは無いため、誤動作をすることは無い。
【発明を実施するための最良の形態】
【００３３】
【実施例１】
【００３４】
本発明の第１の実施例を、図１および図２を用いて説明する。
【００３５】
図１は、本発明の携帯型電子機器の蓋部を開いたときの上面図である。１は本発明の携帯型電子機器、２はケース、３はケースに設けられた開口部、４は表示部、６は蓋部、５はケース２と蓋部６を接続する接続部、７は蓋部６に形成された突出部、８ａ〜８ｆは、携帯型電子機器１を操作するためのキー入力部である。
【００３６】
ケース２の内部には、表示部４が閲覧可能に配されている他、図示しないが、携帯型電子機器１を動作するために必要な装置類、例えば処理装置、記憶装置、音声出力装置、電源装置等が配されている。
【００３７】
ケース２の開口部３は、ケース２の内部に配される表示部４の表示画面が携帯型電子機器１の外から閲覧可能となるように、表示部４の表示画面形状と略同一な開口形状を有している。
【００３８】
表示部４の表示手段には、例えばＬＣＤなどのフラットパネルが使用されている。また図２を用いて説明するが、表示部４の表示手段の表面にはタッチパネル等の画面入力手段が設けられている。
【００３９】
接続部５は、蓋部６をケース２に対して開閉可能に接続する部材であり、例えばヒンジ構造を有している。
【００４０】
蓋部６および突出部７は図２を用いて詳細に説明するが、突出部７は、その側面が開口部３の内側側面と近接して、開口部３に嵌る形状を有している。
【００４１】
図２は、本発明の携帯型電子機器１の、蓋部６を閉じたときの断面図である。
【００４２】
２ａはケース２を形成している上ケースであり、２ｂは下ケースである。上ケース２ａに開口部３が配されている。
【００４３】
３ａは開口部３の縁部であり、３ｂは開口部３の内側側面である。
【００４４】
表示部４は、上ケース２ａの開口部３の縁部３ａにほぼ接し、携帯型電子機器１の外側から閲覧可能に配されている。また表示部４は、ＬＣＤ等のフラットパネルディスプレイ４ａと、その上部にタッチパネル等の面入力手段４ｂが配されて構成されている。
【００４５】
６ａは蓋部６の外側表面であり、略平面状に形成され、特に隆起などはしていない。
【００４６】
７ａは突出部７の突出面であり、表示部４とある離間距離１０を持って離間して対面している。また７ｂは突出部７の側面であり、開口部３の内側側面３ｂと近接している。
【００４７】
離間距離１０は、例えは蓋部６の中央部分から、蓋部６に垂直な方向に所定の衝撃を加えたとき、蓋部６が歪む歪み量を計測し、その歪み量よりも大ききな値に設定している。
【００４８】
図２から分かるように、蓋部６は、上ケース２ａに接触し、開口部３に対応する部分、即ち突出部７が、開口部の内側に向かって突出している。しかし蓋部６の外側表面６ａは、略平面状であり特に隆起したりはしていない。蓋部６はこのような構造を有することにより、蓋部６に垂直な方向に加えられる衝撃に対して強度が増加し、開口部３に配された表示部４を衝撃から保護することが可能となる。さらに、携帯型電子機器１としての厚みが増加しないため、形態性を損ねることは無い。
【００４９】
また、突出部７の側面７ｂが、開口部３の内側側面３ｂと近接しているため、蓋部６に対して水平方向に衝撃が加えられたとき、近接する部分同士（即ち７ｂと３ｂ）が接触し、蓋部６の水平方向へのずれに対するストッパーの役割を果たす。このような突出部７の構造により蓋部６のずれが防止され、結果として、水平方向からの衝撃にも強い携帯型電子機器１を提供することが可能となる。
【００５０】
また離間距離１０を、蓋部６の歪み量を考慮して設定しているため、蓋部６が衝撃により開口部の内側方向に歪んでも、表示部４に接触することは無く、ＬＣＤ等のフラットパネルディスプレイ４ａが破損することは無い。また蓋部６（突出面７ａ）が接触しないことから、タッチパネル等の面入力手段４ｂの誤動作も起こり得ない。
【実施例２】
【００５１】
次に本発明の別の携帯型電子機器に係る例を、図３を用いて説明する。本実施例２で説明する携帯型電子機器は、蓋部６にリブを有する機器である。  
【００５２】
尚、携帯型電子機器としての構成要素は、突出部やリブに係る構成要素以外、実施例１の図１および図２で説明した構成要素と同等であり、同等の構造を有するため、特に断りの無い限り符号等は同一のものを使用することとし、詳細な説明も割愛する。
【００５３】
図３は、実施例２における携帯型電子機器１の、蓋部６を閉じたときの断面図である。
【００５４】
９は蓋部６に配さたリブであり、開口部３の内部に嵌るように形成されている。ここではリブ９は、開口部３の縁部３ａの全周に渡って配されているものとするが、配置位置としては、表示部４の表示画面を侵害しないように配すれば、全周にわたる必要は無い。
【００５５】
リブ９は、表示部４とある離間距離１１を持って離間しており、例えは蓋部６の中央部分から、蓋部６に垂直な方向に所定の衝撃を加えたときに、表示部４と接触するように配されている。
【００５６】
またリブ９の外側側面９ａは、開口部３の内側側面３ｂと近接して配されている。
【００５７】
図３から分かるように、蓋部６は、上ケース２ａに接触し、開口部３の縁部３ａの全周に存在するリブ９が、開口部３の内側に向かって突出している。しかし蓋部６の外側表面６ａは、略平面状であり特に隆起したりはしていない。蓋部６はこのような構造を有することにより、蓋部６に垂直な方向に衝撃が加えられても、リブ９が表示部４の開口部３の縁部３ａ近傍に接触して衝撃を逃すため、表示部４の表示画面に直接衝撃が伝わることを防止し、表示部４を破損から防御することが可能となる。さらに、携帯型電子機器１としての厚みが増加しないため、形態性を損ねることは無い。
【００５８】
また、リブ９の側面９ａが、開口部３の内側側面３ｂと近接しているため、蓋部６に対して水平方向に衝撃が加えられたとき、近接する部分同士（即ち９ａと３ｂ）が接触し、蓋部６の水平方向へのずれに対するストッパーの役割を果たす。このようなリブ９の構造により蓋部６のずれが防止され、結果として、水平方向からの衝撃にも強い携帯型電子機器１を提供することが可能となる。
【００５９】
またリブ９が表示部４と接触して外部からの衝撃を周囲に逃すため、蓋部６に垂直な方向に加えられる衝撃に対して蓋部６が開口部３の内側方向に歪みにくくなり、結果として蓋部６が表示部４に接触する可能性が激減する。これによりＬＣＤ等のフラットパネルディスプレイ４ａが破損することが無くなり、更には蓋部６が接触しないことから、タッチパネル等の面入力手段４ｂの誤動作も起こり得ない。
【００６０】
尚、上記実施例１および２で使用した蓋部６の部材としては、ポリカーボネート等の透明性を有する弾性部材を用いることが可能であり、これにより蓋部６の強度向上（表示部４の耐衝撃性向上）に加えて、蓋部６を閉じた状態で表示部４の閲覧が可能になるという利便性の向上も達成することができる。
【００６１】
また、上記実施例１および２は、携帯型電子機器を用いた例であるが、表示部を有する据え置き型の電子機器などの表示部の耐衝撃性を向上させることを目的として、本発明と同様の構成や構造を電子機器に配することも可能である。
【図面の簡単な説明】
【００６２】
【図１】本発明の携帯型電子機器の蓋部を開いたときの上面図である。
【図２】本発明の携帯型電子機器の蓋部を閉じたときの断面図である。
【図３】本発明の別の携帯型電子機器の蓋部を閉じたときの断面図である。
【符号の説明】
【００６３】
１  携帯型電子機器
２  ケース
３  開口部
４  表示部
５  接続部
６  蓋部
７  突出部
８  キー入力部
９  リブ
１０  突出部７と表示部４との離間距離
１１  リブ９と表示部４との離間距離
【図１】
2006253256.tif 000003
【図２】
2006253256.tif 000004
【図３】
2006253256.tif 000005